(57)【特許請求の範囲】
【請求項１】
底面が中央近傍に向かって隆起したボウルと、
前記ボウルの一方の奥の角部に配置された排水口と、
前記ボウルの幅方向の中心よりも他方寄りに配置される水栓と、
を有し、
前記水栓は、左右方向に回動しない固定水栓であり、
前記ボウルの底面は中央近傍に向かって隆起する傾斜平面を含み、
前記傾斜平面の頂点は、前記水栓の着水点よりも奥側にあることを特徴とする洗面化粧台。
【請求項２】
底面が中央近傍に向かって隆起したボウルと、
前記ボウルの一方の奥の角部に配置された排水口と、
前記ボウルの幅方向の中心よりも他方寄りに配置される水栓と、
を有し、
前記水栓は、左右方向に回動する自在水栓であり、
前記ボウルの底面の頂点は、前記水栓が回動したときの着水点の軌跡である円弧よりも内側にあることを特徴とする洗面化粧台。
【請求項３】
前記ボウルの底面の周辺は、該底面の頂点から手前側に引いた延長線の交点が最も高いことを特徴とする請求項１または２に記載の洗面化粧台。
【請求項４】
前記ボウルの底面の前記排水口と隣接する２辺には、該排水口に接続された溝が形成されていることを特徴とする請求項１から３のいずれか１項に記載の洗面化粧台。
【請求項５】
前記底面は、前記溝と、前記頂点から離れるにしたがって緩やかに下方に傾斜する傾斜平面とを含み、
前記傾斜平面のうち、前記排水口の縁には隆起部が形成されていることを特徴とする請求項４に記載の洗面化粧台。
【請求項６】
前記ボウルの左右の辺のうち前記水栓が寄って配置されている側の辺に配置され周辺のカウンターよりも低く設定されたウェットカウンターを更に有することを特徴とする請求項１から５のいずれか１項に記載の洗面化粧台。
【発明の詳細な説明】
【技術分野】
【０００１】
本発明は、浴室に隣接した脱衣所等に配置され、洗顔等に使用される洗面化粧台に関するものである。
【背景技術】
【０００２】
浴室に隣接して設けられる脱衣所などには洗面化粧台が設置される。洗面化粧台はボウルを備えていて、ここにおいて洗面や洗髪、歯磨き等が行われる。一般に、ボウルは、その底面中央に排水口が設けられていて、かかる排水口に向かって底面が下方に傾斜している。これに対し、例えば特許文献１にはボウル本体の底面を上向き凸の凸曲面とした構成が開示されている。特許文献１によれば、かかる構成により、蛇口から流下した水を凸曲面の頂点から弧面に沿って流すことができるため、水跳ねが少なくなるとしている。
【先行技術文献】
【特許文献】
【０００３】
【特許文献１】特開２００７−１９８０１９号公報
【発明の開示】
【発明が解決しようとする課題】
【０００４】
ここで、洗面化粧台のボウルにおいて洗面や洗髪等が行われると、ボウル内の特に手前側に洗顔料等の泡が生じる。この泡を効率的に流すためには、ボウル内の手前側に流れる水の量を増やす必要がある。しかしながら、上述した特許文献１のボウルでは、水栓（蛇口）からの水は、正方形のボウルの中心から四方に向かって流れていくため、水の流れる量は全体的に均一となる。このため、特許文献１のボウルであるとその手前側に泡の滞留が起こりやすく、更なる改良の余地があった。
【０００５】
本発明は、このような課題に鑑み、洗顔時や洗髪時等にボウルの手前側に生じた泡を効率的に流すことができ、泡の滞留ひいては汚れの付着を抑制することが可能な洗面化粧台を提供することを目的としている。
【課題を解決するための手段】
【０００６】
上記課題を解決するために、本発明にかかる洗面化粧台の代表的な構成は、底面が中央近傍に向かって隆起したボウルと、ボウルの一方の奥の角部に配置された排水口と、ボウルの幅方向の中心よりも他方寄りに配置される水栓と、を有し、水栓は、左右方向に回動しない固定水栓であり、ボウルの底面の頂点は、水栓の着水点よりも奥側にあることを特徴とする。
【０００７】
上記構成によれば、ボウルの底面の頂点が水栓の着水点よりも奥側にあることにより、水栓からの水は、底面の奥側よりも手前側に多く流れる。これにより、ボウルの手前側に生じた泡を効率的に流すことができ、泡の滞留ひいては底面への汚れの付着を抑制することが可能となる。また上記構成では、ボウルの一方の奥側に排水口を配置しているため、ボウルの底面の使用効率を高めることができる。
【０００８】
ここで、上記のように排水口をボウルの一方側に寄せて配置した場合、水栓が排水口に近い位置にあると、水栓からの水は主に排水口に向かって流れていってしまうため、ボウルの底面において水栓から離れた側の領域には水が流れにくい。そこで上記構成では、水栓を、ボウルの幅方向の中心よりも他方寄り、すなわち排水口から離れた側に配置している。これにより、排水口から離れた側にも水を好適に流すことができ、ひいてはボウルの底面の全面に良好に水を流すことが可能となる。
【０００９】
上記課題を解決するために、本発明にかかる洗面化粧台の他の構成は、底面が中央近傍に向かって隆起したボウルと、ボウルの一方の奥の角部に配置された排水口と、ボウルの幅方向の中心よりも他方寄りに配置される水栓と、を有し、水栓は、左右方向に回動する自在水栓であり、ボウルの底面の頂点は、水栓が回動したときの着水点の軌跡である円弧よりも内側にあることを特徴とする。
【００１０】
かかる構成のように、水栓が自在水栓の場合であっても、ボウルの底面の頂点を、水栓が回動したときの着水点の軌跡である円弧よりも内側とすることにより、上記と同様の効果を得ることが可能である。
【００１１】
上記ボウルの底面の周辺は、底面の頂点から手前側に引いた延長線の交点が最も高いとよい。これにより、底面の頂点からボウルの手前側に流れた水は、底面の周辺に到達すると延長線の交点を境に左右両側に流れていく。そして、水は、底面の左右両側を経由して排水口に至る。これにより、ボウル底面の手前側の角部、特に排水口の対角に位置する角部における水の滞留を抑制することが可能となる。
【００１２】
上記ボウルの底面の排水口と隣接する２辺には、排水口に接続された溝が形成されているとよい。かかる構成によれば、溝の深さは、ボウルの底面の４辺すべてに溝を形成した場合よりも浅くなる。したがって、４辺に溝を設けた場合に比して成形が容易であり、清掃性を高めることも可能となる。
【００１３】
上記底面は、溝と、頂点から離れるにしたがって緩やかに下方に傾斜する傾斜平面とを含み、傾斜平面のうち、排水口の縁には隆起部が形成されているとよい。かかる構成によれば、傾斜平面から排水口に向かって流れていった水は、隆起部を辿るように流れて溝に至り、排水口に流れ込む。すなわち隆起部が堤防として機能することにより、傾斜平面を流れてきた水は、隆起部を回りこむように流れ、排水口に直接流れこむことがない。したがって、水と共に流れてきた泡や汚れ等の排水口の縁への付着および滞留を抑制することができ、ボウル底面の清潔性を高めることが可能となる。
【００１４】
上記ボウルの左右の辺のうち水栓が寄って配置されている側の辺に配置され周辺のカウンターよりも低く設定されたウェットカウンターを更に有するとよい。かかる構成のようにウェットカウンターを備えることにより、洗面や歯磨きの際に用いる洗顔料等を載置しておくことができ、使用者の利便性を高めることができる。しかしながら、洗顔料等は、使用する際に液体が滴下することがあるため、ウェットカウンター近傍のボウルの底面はそれらの液体が付着しやすい傾向がある。
【００１５】
そこで上記構成のように、水栓が寄って配置されている側、すなわち水が流れてきやすい側にウェットカウンターを配置することにより、そこに載置された洗顔料等から滴下した液体を水とともに排水口に流すことができる。したがって、ボウル底面への液体の付着を抑制し、清潔性を高めることが可能となる。
【発明の効果】
【００１６】
本発明によれば、洗顔時や洗髪時等にボウルの手前側に生じた泡を効率的に流すことができ、泡の滞留ひいては汚れの付着を抑制することが可能な洗面化粧台を提供することができる。
【図面の簡単な説明】
【００１７】
【図１】第１実施形態にかかる洗面化粧台の全体斜視図である。
【図２】図１に示す洗面化粧台を上方から観察した図である。
【図３】図２の断面図である。
【図４】図２の排水口近傍の拡大図である。
【図５】第２実施形態にかかる洗面化粧台の全体図である。
【発明を実施するための形態】
【００１８】
以下に添付図面を参照しながら、本発明にかかる給湯装置および給湯システムの好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１９】
（第１実施形態）
図１は、第１実施形態にかかる洗面化粧台１００の全体斜視図である。図２は、図１に示す洗面化粧台１００を上方から観察した図である。図１および図２に示すように、本実施形態の洗面化粧台１００は、カウンター１１０、水栓１３０、ボウル２００、および排水口２９０を含んで構成される。
【００２０】
カウンター１１０は、洗面化粧台１００の土台となる部位であり、カウンター１１０の奥側には縦壁１２０が立設している。縦壁１２０には、水を供給する水栓１３０が取り付けられている。本実施形態では、水栓１３０として、左右方向に回動しない固定水栓を例示している。また本実施形態では、水栓１３０は、ボウル２００の幅方向の中心よりも左寄り（排水口２９０の他方寄り）に配置されている。
【００２１】
更に本実施形態では、ボウル２００の左側に周辺のカウンター１１０よりも低く設定されたウェットカウンター１４０が設けられている。これにより、洗面や洗髪の際に用いる洗顔料等（不図示）をウェットカウンター１４０に載置しておくことができ、使用者の利便性を高めることができる。
【００２２】
ボウル２００は、水栓１３０から供給される水を用いて使用者が洗面や洗顔等を行う領域である。ボウル２００の内部には、水を排水する排水口２９０が形成されている。本実施形態では特に、排水口２９０を、ボウル２００の一方の奥の角部（図１および図２では右側の角部を例示）に配置している。これにより、ボウル２００の底面中央付近に排水口を配置した場合に比して、ボウル２００の底面の使用効率を高めることができる。
【００２３】
図３は、図２の断面図であり、図３（ａ）は図２のＡ−Ａ断面図、図３（ｂ）は図２のＢ−Ｂ断面図、図３（ｃ）は図２のＣ−Ｃ断面図である。図１および図２に示すように、本実施形態のボウル２００の底面は、傾斜平面２１０と２つの溝（第１溝２１２ａおよび第２溝２１２ｂ）を含んで構成される。
【００２４】
図３（ａ）に示すように、ボウル２００の底面のうち傾斜平面２１０は、中央近傍に向かって隆起している。詳細には、傾斜平面２１０は、その頂点Ｔ１から離れるにしたがって緩やかに下方に傾斜している。そして本実施形態の特徴として、図１に示すように、ボウル２００の底面のうち、傾斜平面２１０の頂点Ｔ１は、水栓１３０からの水の着水点Ｐ１よりも奥側に配置されている。
【００２５】
上記構成のように傾斜平面２１０の頂点Ｔ１を着水点Ｐ１よりも奥側に配置することにより、着水点Ｐ１に着水した水は、図２に示すように傾斜平面２１０の奥側よりも手前側に多く流れる。これにより、洗顔や洗髪の際にボウル２００に生じた泡を傾斜平面２１０の手前側に向かって効率的に流すことができる。
【００２６】
また上述したように本実施形態では、ボウル２００の幅方向の中心よりも左寄り（他方寄り）に水栓１３０を配置している。これにより、排水口２９０をボウル２００の一方寄り（右寄り）に配置した場合でも、排水口２９０から離れた側の左縁２１０ａにも水を好適に流すことができ、ひいてはボウル２００の底面の全面に良好に水を流すことが可能となる。
【００２７】
更に本実施形態では、図３（ｂ）に示すように、ボウル２００の底面（傾斜平面２１０）の周辺では、かかる傾斜平面２１０の頂点Ｔ１から手前側に引いた延長線Ｌ（図２参照）の交点Ｔ２が最も高くなっている。これにより、図２に示すように、傾斜平面２１０の頂点Ｔ１からボウル２００の手前側に流れてきた水は、交点Ｔ２を境に左右両側に流れ、傾斜平面の左右両側（左縁２１０ａおよび右縁２１０ｂ近傍）を経由して排水口２９０に至る。
【００２８】
ここで、仮に、ボウルの底面の縁のうち排水口２９０の対角に位置する角部を最も高くすると、角部から交点Ｔ２の位置に向かって水が流れてくることになる。すると、角部から流れてきた水と交点Ｔ２から別れた水がぶつかってしまい、角部に水の滞留が生じる。滞留が生じると、泡や髪の毛、ゴミなどの汚れが角部に溜まりやすくなってしまう。しかしながら上記のように角部よりも交点Ｔ２を高くしたことにより、着水点Ｐ１から角部に到達した水は左縁２１０ａに沿って流れていくため、交点Ｔ２から角部に向かって流れる水とぶつかることがない。したがって、ボウルの底面の手前側の角部、特に排水口２９０の対角に位置する角部における水の滞留を抑制することができる。
【００２９】
そして、上述した水の流れを利用するために、本実施形態の洗面化粧台１００では、ボウル２００の左右の辺のうち、水栓１３０が寄って配置されている側の辺、すなわち左側の辺にウェットカウンター１４０を設けている。これにより、ウェットカウンター１４０に載置された洗顔料等から滴下した液体を水によって排水口２９０に流すことができる。したがって、ボウル２００の底面への液体の付着を抑制し、清潔性を高めることが可能となる。
【００３０】
また本実施形態では、ボウル２００の底面のうち、排水口２９０と隣接する２辺（本実施形態では右縁２１０ｂおよび奥縁２１０ｃ）に、排水口２９０に接続された２つの溝（第１溝２１２ａおよび第２溝２１２ｂ）を形成している。詳細には、図３（ｃ）に示すように、第１溝２１２ａは、傾斜平面２１０よりも下方に窪んでいて、ボウル２００の奥側で左右方向に延びている。図３（ａ）に示すように、第２溝２１２ｂは、傾斜平面２１０よりも下方に窪んでいて、ボウルの右側で前後方向に延びている。これにより、交点Ｔ２から両側に流れていった水を好適に排水口２９０まで導くことができ、排水性を高めることが可能となる。
【００３１】
このとき特に本実施形態では、ボウル２００の底面のすべての辺（４辺）ではなく、排水口２９０と隣接する２辺のみに溝を形成している。これにより、溝の深さは、ボウル２００の底面の４辺すべてに溝を形成した場合よりも浅くなるため、成形を容易としつつ、上述した効果を得ることができる。また溝の深さが浅くなることにより、清掃が容易になるため、清掃性を高めることも可能となる。
【００３２】
図４は、図２の排水口２９０近傍の拡大図である。図１および図４に示すように、本実施形態の洗面化粧台１００では、ボウル２００の底面において、傾斜平面２１０のうち、排水口２９０の縁となる位置に、他の領域よりも上方に突出した隆起部２１４を形成している。
【００３３】
上記構成により、隆起部２１４が堤防として機能するため、図２に示すように傾斜平面２１０から排水口２９０に向かって流れていった水は、隆起部２１４を辿るように、すなわち隆起部２１４を回り込むように流れて第１溝２１２ａおよび第２溝２１２ｂに至り、排水口２９０に流れ込む。これにより、傾斜平面２１０を流れてきた水の排水口２９０への直接的な流れこみが防止される。したがって、水と共に流れてきた泡や汚れ等の排水口２９０の縁への付着および滞留を抑制することができ、ボウル２００の底面の清潔性を高めることが可能となる。
【００３４】
上記説明したように、第１実施形態の洗面化粧台１００によれば、ボウル２００の底面の頂点Ｔ１が水栓１３０の着水点Ｐ１よりも奥側にあることにより、水栓１３０からの水は、底面の奥側よりも手前側に多く流れるため、ボウル２００の手前側に生じた泡を効率的に流すことができる。したがって、ボウル２００の底面（傾斜平面２１０）への泡の滞留ひいては汚れの付着を抑制することができる。
【００３５】
またボウル２００の一方の奥側に排水口２９０を配置することで、ボウル２００の底面の使用効率を高めつつ、水栓１３０を、ボウル２００の幅方向の中心よりも他方寄り、すなわち排水口２９０から離れた側に配置することで、排水口２９０から離れた側にも水を好適に流すことができる。したがって、ボウル２００の底面の全面に良好に水を流すことが可能となる。
【００３６】
（第２実施形態）
図５は、第２実施形態にかかる洗面化粧台３００の全体図であり、洗面化粧台３００を上方から観察した状態を図示している。なお、第１実施形態と重複する構成要素については、同一の符号を付すことにより説明を省略する。
【００３７】
第２実施形態では、水栓３３０として、左右方向に回動する自在水栓を例示している。このように水栓３３０が回動する場合には、ボウル２００の底面（傾斜平面２１０）の頂点は、水栓３３０が回動したときの着水点の軌跡である円弧Ｐ２よりも内側に配置される。これにより、第１実施形態の洗面化粧台１００と同様に、水栓１３０からの水を底面の奥側よりも手前側に多く流すことができるため、上記と同様の効果を得ることが可能である。
【００３８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００３９】
本発明は、浴室に隣接した脱衣所等に配置され、洗顔等に使用される洗面化粧台として利用することができる。
【符号の説明】
【００４０】
１００…洗面化粧台、１１０…カウンター、１２０…縦壁、１３０…水栓、１４０…ウェットカウンター、２００…ボウル、２１０…傾斜平面、２１０ａ…左縁、２１０ｂ…右縁、２１０ｃ…奥縁、２１２ａ…第１溝、２１２ｂ…第２溝、２１４…隆起部、２９０…排水口、３００…洗面化粧台、３３０…水栓
【図１】
0006602068.tif 000002
【図２】
0006602068.tif 000003
【図３】
0006602068.tif 000004
【図４】
0006602068.tif 000005
【図５】
0006602068.tif 000006